(57)【特許請求の範囲】
【請求項１】
磁気カードの情報および利用者の操作に基づいて現金の出し入れを含む取引処理を行わせる制御手段と、前記磁気カードの読み取りおよび書き込みを行い、行われた取引処理の取引内容および取引結果の明細情報を印字媒体に印字し単票状態にして発行するカード明細票処理手段と、取引明細を印字媒体に印字記録し保持するとともに、前記印字媒体の印字エリアの終了を検知する検知手段を有する取引明細保持手段とを備えた自動取引装置において、
前記制御手段は、前記取引明細保持手段の検知手段により前記取引明細が印字記録される前記取引明細保持手段の印字媒体における印字エリアの終了が検知されてから新しい印字媒体に交換されるまでの間、前記明細情報および前記取引明細を前記カード明細票処理手段の印字媒体に印字記録させ、単票状態の明細票を発行させると共に単票状態の記録保持用明細票を前記カード明細票処理手段に設けられ、カード挿入明細票排出口から取り込まれた前記明細票を集積する集積部に収容し保持させるようにしたことを特徴とする自動取引装置。
【請求項２】
制御手段は、前記記録保持用印字媒体に前記取引明細とともに記録保持用であることを示す情報を印字記録させるようにしたことを特徴とする請求項１記載の自動取引装置。
【発明の詳細な説明】
【０００１】
【発明の属する技術分野】
本発明は、銀行等の金融機関で使用される現金自動預金支払機などの自動取引装置に係り、さらに詳しくは、この装置で行われた取り引きの明細を印字記録し保持する印字媒体であるジャーナル用紙などが無くなった場合に有効な自動取引装置に関するものである。
【０００２】
【従来の技術】
従来、自動取引装置においては、入金、支払あるいは残金照会等の取り引きを行うと、その取り引きの明細を取引履歴として装置内部に設けられたジャーナル用紙に印字記録する。この印字媒体であるジャーナル用紙は、自動取引装置の内部に設置されており、取引明細が印字記録されながらロール部に巻き取られ、印字エリアが無くなった時点で自動取引装置の取り扱いが中止され、新しいジャーナル用紙に交換されると装置の取り扱いが再開される。
【０００３】
【発明が解決しようとする課題】
上記のような従来の自動取引装置は、その装置で行われた取り引きの明細を装置内に設置されたジャーナル用紙に印字記録して保持し、ジャーナル用紙の印字エリアが無くなると、装置の取り扱いを中止させていたので、一定量のジャーナル用紙しか使用できないこのような装置では、取り引きの途中であっても装置の取り扱いが中止になってしまって利用者に迷惑をかけてしまう場合があるとともに、これを防ぐためにジャーナル用紙が無くなる前に新しいものと交換しなければならず、ジャーナル用紙を有効的に利用することができなかった。また、取り引きが多い場合はジャーナル用紙を頻繁に交換しなければならず、手間がかかり面倒であった。
【０００４】
本発明は、上記のような課題を解決するためになされたもので、印字媒体であるジャーナル用紙を有効的に使用できるとともに、ジャーナル用紙が無くなった場合でも装置の取り扱いを中止することなく取り引きを継続、延長でき、また取引明細の記録保持も確実に行うことのできる自動取引装置を提供する。
【０００５】
【課題を解決するための手段】
本発明に係る自動取引装置は、磁気カードの情報および利用者の操作に基づいて現金の出し入れを含む取引処理を行わせる制御手段と、磁気カードの読み取りおよび書き込みを行い、行われた取引処理の取引内容および取引結果の明細情報を印字媒体に印字し単票状態にして発行するカード明細票処理手段と、取引明細を印字媒体に印字記録し保持するとともに、印字媒体の印字エリアの終了を検知する検知手段を有する取引明細保持手段とを備えた自動取引装置において、制御手段は、取引明細保持手段の検知手段により取引明細が印字記録される取引明細保持手段の印字媒体における印字エリアの終了が検知されてから新しい印字媒体に交換されるまでの間、明細情報および取引明細をカード明細票処理手段の印字媒体に印字記録させ、単票状態の明細票を発行させると共に単票状態の記録保持用明細票をカード明細票処理手段に設けられ、カード挿入明細票排出口から取り込まれた明細票を集積する集積部に収容し保持させるようにしたものである。
【０００６】
また、本発明に係る自動取引装置の制御手段は、記録保持用印字媒体に取引明細とともに記録保持用であることを示す情報を印字記録させるようにしたものである。
【０００８】
これにより、取引明細保持手段の印字媒体の印字エリアが無くなっても装置の取り扱いを中止させることなく取り引きを継続および延長することができるとともに、印字媒体を最後まで有効的に利用することができる。また、取り引きが多い場合でも取引明細保持手段の印字媒体を頻繁に交換するなどの手間も無くなり、装置の取り扱いを容易にすることができる。
【０００９】
【発明の実施の形態】
実施の形態１．
図１は本発明の実施の形態１の模式図、図２は図１の内部構成を示すブロック図である。図において、１は自動取引装置で、前面側にカード挿入明細票排出口１ａと、通帳挿入排出口（図示せず）と、利用者のタッチパネルの操作に基づいて取引手順が表示され、取引処理が行われる顧客操作部５と、現金取扱口（図示せず）とが設けられている。そして、自動取引装置１の内部には、利用者によってカード挿入明細票排出口１ａに挿入された磁気カード９に対する情報の読み取りおよび書き込みを行うカードリードライト部と、印字媒体であり明細票となる連続紙に取引内容および取引結果等を印字して明細票を発行するプリンタ部とを備えたカード明細票処理部２、紙幣等の現金を指定された金額だけ現金取扱口から入金または出金させる現金処理部３、通帳挿入排出口に挿入された通帳に対する情報の読み取りおよび書き込みを行い、通帳に取引内容および取引結果等を記帳する通帳記帳部４、係員または保守員等が装置の動作チェックを行う場合に操作する内部操作部６、利用者の取引内容などの明細を取引履歴としてジャーナル用紙に印字記録し保持する明細記録保持部７、および、各部２〜７を制御し利用者により指定された取引を実行させる制御部８を備えている。
【００１０】
図３はカード明細票処理部２の構成を示す側面図である。図において、１０はカード挿入明細票排出口１ａに挿入された磁気カード９の情報（磁気データ）を読み取り書き込む磁気ヘッド１１，１２を有するカードリードライト部、１３は磁気カード９の情報（エンボスデータ）を読み取るエンボスリードセンサ、１４は利用者の取り忘れなどによってカード挿入明細票排出口１ａに放置された磁気カード９を保管するカード取込部、１５は磁気カード９の搬送手段を有し、カード挿入明細票排出口１ａに挿入された磁気カード９をカード取込部１４側またはカード挿入明細票排出口１ａ側に搬送するカード走行路である。
【００１１】
１６，１７は印字媒体であり明細票となる連続紙１８，１９がそれぞれ収容される第１および第２のボックス、２０は利用者の取引内容および取引結果を連続紙１８，１９に印字する印字ヘッド、２１は連続紙１８，１９を挟むように印字ヘッド２０に対向して設けられたプラテン、２２は印字ヘッド２０で印字された連続紙１８，１９を切断し単票状態の明細票とするカッタ、２３は作成された明細票を利用者に発行するためにカード挿入明細票排出口１ａまで搬送する搬送手段を有する第１の明細票走行路、２４は利用者の取り忘れなどによってカード挿入明細票排出口１ａに放置されている明細票をカード明細票処理部２内に取り込む取込手段を備え、第１の明細票走行路２３の途中で分岐され分岐部分に走行路切換手段２４ａを有する第２の明細票走行路、２５は第２の明細票走行路２４を介して取り込まれた明細票を集積する集積部である。
【００１２】
図４は明細記録保持部７の構成を示す側面図である。図において、２６は利用者の取引内容などの明細が取引履歴として印字記録される印字媒体であるジャーナル用紙で、図５に示すように、ジャーナル用紙２６の一方の端部の片側には、進行方向に一定間隔の印刷ピッチで設けられた終端を知らせる終端検出用のエンドマーク２６ａが設けられている。２７はジャーナル用紙２６の巻上部をセットした第１のローラ部、２８は反時計回りに回転しジャーナル用紙２６を逐次矢印Ｘ方向に巻き取る第２のローラ部で、両者２７，２８の間には、ジャーナル用紙２６の先端部の挿入を検知する挿入口センサ２９と、ジャーナル用紙２６に印字記録する印字ヘッド３０と、ジャーナル用紙２６を挟むように印字ヘッド３０に対向して設けられたプラテン３１と、ジャーナル用紙２６のエンドマーク２６ａを検出するマーク検出センサ３２とが設けられており、第１のローラ部２７から送り出されたジャーナル用紙２６は、印字ヘッド３０によって取引明細が印字記録され第２のローラ部２８に巻き取られる。また、第１のローラ部２７にはジャーナル用紙２６の終端が間近であることを検知するニアエンドセンサ２７ａが設けられており、第２のローラ部２８にはジャーナル用紙２６を巻き付ける溝部２８ａと、この溝部２８ａの位置を検出する位置出しスイッチ部２８ｂが設けられている。
【００１３】
次に、この実施の形態１の作用について説明する。まず、利用者により自動取引装置１の顧客操作部５で磁気カード９を使用する取り引きが選択されると、制御部８はカード明細票処理部２に磁気カード９の吸入命令を出す。ついで、利用者がカード挿入明細票排出口１ａに磁気カード９を挿入すると、磁気カード９はカード明細票処理部２のカード走行路１５に設けられた搬送手段によって自動取引装置１内に吸入され、磁気ヘッド１１，１２で磁気データが読み取られ、エンボスリードセンサ１３でエンボスデータが読み取られる。そして、制御部８は読み取られたデータおよび顧客操作部５の操作に基づいて、顧客操作部５に取引手順を表示させて取り引きを進め、利用者により取り引きの確認が得られると、カード明細票処理部２および明細記録保持部７に取引内容および取引結果の明細データを送る。
【００１４】
明細データを受け取ったカード明細票処理部２では、例えば第１のボックス１６からの連続紙１８にその明細データ、つまり取引内容および取引結果を印字ヘッド２０で印字し、これをカッタ２２で切断して単票状態の明細票を作成する。ついで、この明細票を利用者に発行するために第１の明細票走行路２３に設けられた搬送手段でカード挿入明細票排出口１ａまで搬送する。また、明細票の作成とともにカードリードライト部１０では磁気カード９に取引内容等に応じた磁気データが磁気ヘッド１１，１２によって書き込まれ、カード挿入明細票排出口１ａまで搬送される。そして、磁気カード９および明細票はカード挿入明細票排出口１ａより排出され、自動取引装置１の取り引きは終了する。
【００１５】
ここで、利用者の取り忘れなどによってカード挿入明細票排出口１ａに磁気カード９および発行した明細票が放置されていると、制御部８はカード明細票処理部２に装置内への取込命令を出す。取込命令を受けたカード明細票処理部２では、カード走行路１５に設けられた搬送手段によって磁気カード９をカード取込部１４に取り込んで保管するとともに、第２の明細票走行路２４に設けられた取込手段および走行路切換手段２４ａによって明細票を第１の明細票走行路２３から第２の明細票走行路２４を介して集積部２５に取り込む。
【００１６】
また、明細データを受け取った明細記録保持部７では、第１のローラ部２７からのジャーナル用紙２６に取引明細を印字ヘッド３０で印字記録しつつ第２のローラ部２８で巻き取り、保持する。このような取引明細の印字記録が繰り返し行われ、マーク検出センサ３２によってジャーナル用紙２６のエンドマーク２６ａが検出されると、制御部８はジャーナル用紙２６に印字エリアが無くなったと判断し、ジャーナル用紙２６に印字記録される取引明細をカード明細票処理部２に送る。取引明細を受け取ったカード明細票処理部２では、明細票を作成する場合と同様に、例えば第１のボックス１６からの連続紙１８にその取引明細を印字ヘッド２０で印字し、これをカッタ２２で切断して単票状態の記録保持用明細票を作成する。ついで、作成された記録保持用明細票は、第１の明細票走行路２３に設けられた搬送手段、第２の明細票走行路２４に設けられた取込手段および走行路切換手段２４ａによって、第１の明細票走行路２３から第２の明細票走行路２４を介して集積部２５に搬送され、収容される。そして、明細記録保持部７に新しいジャーナル用紙６がセットされるまでカード明細票処理部２で取り引きの記録保持が行われる。
【００１７】
なお、この記録保持用明細票は、利用者の取り忘れなどによって集積部２５に集積されている他の明細票と区別するために、記録保持用明細票であることを示すデータが取引明細とともに印字され、この記録保持用明細票であることを示すデータは、制御部８がカード明細票処理部２にジャーナル用紙２６に印字記録される取引明細を送るときに同時に送られる。
【００１８】
このように、明細記録保持部７のマーク検出センサ３２によりジャーナル用紙２６のエンドマーク２６ａが検出されてから新しいジャーナル用紙２６に交換されるまでの間、制御部８はジャーナル用紙２６に印字記録される取引明細および記録保持用明細票であることを示すデータをカード明細票処理部２に送り、カード明細票処理部２では、印字媒体である連続紙１８にその取引明細およびを記録保持用明細票であることを示すデータを印字し、これを切断して記録保持用明細票を作成し、集積部２５に収容するようしたので、ジャーナル用紙２６の印字エリアが無くなっても自動取引装置１の取り扱いを中止させることがなくなり、自動取引装置１で行われている取り引きを継続および延長することができるとともに、ジャーナル用紙２６を最後まで使い切ることができるので有効的に利用することができる。また、取り引きが多い場合でもジャーナル用紙２６を頻繁に交換するなどの手間も無くなり、自動取引装置１の取り扱いを容易にすることができる。さらに、集積部２５に収容された記録保持用明細票には取引明細とともに記録保持用明細票であることを示すデータが印字されるので、集積部２５に集積されている他の明細票との区別を容易にすることができ、記録保持用明細票の回収を簡単に行うことができる。
【００１９】
実施の形態２．
図６は本発明の実施の形態２の内部構成を示すブロック図である。この実施の形態２は、実施の形態１に係る自動取引装置１の内部に補助フロッピーディスクドライブ３３を設けたもので、通常フロッピーディスク（以下、ＦＤという）が装入されたままの状態になっていて制御部８によってアクセスされず、明細記録保持部７のマーク検出センサ３２によりジャーナル用紙２６のエンドマーク２６ａが検出されてから新しいジャーナル用紙２６に交換されるまでの間、制御部８によってアクセスされ、制御部８はジャーナル用紙２６に印字記録される明細データをＦＤに記録させ、明細記録保持部７に新しいジャーナル用紙２６がセットされると、係員等の内部操作部６の操作に基づいてＦＤに記録されている明細データを新しいジャーナル用紙２６に印字記録し、保持させるようにしたものである。なお、カード明細票処理部２にはジャーナル用紙２６に印字記録される明細データは送られず、磁気カード９の読み取りおよび書き込み、あるいは取引内容などが印字された明細票の発行を行う。
【００２０】
このように構成したこの実施の形態２においても、実施の形態１で説明した場合と同様に、利用者の取引内容などの明細データの印字記録が明細記録保持部７で繰り返し行われ、明細記録保持部７のマーク検出センサ３２によってジャーナル用紙２６のエンドマーク２６ａが検出されると、制御部８は補助フロッピーディスクドライブ３３にアクセスしてジャーナル用紙２６に印字記録される明細データをＦＤに記録させ、明細記録保持部７において新しいジャーナル用紙２６の交換が行われるまでＦＤの記録保持を行う。そして、自動取引装置１の取り扱いを中止して明細記録保持部７に新しいジャーナル用紙２６をセットし、係員等が内部操作部６を操作すると、制御部８はこの操作に基づいて補助フロッピーディスクドライブ３３にアクセスし、ＦＤに記録されている明細データを新しいジャーナル用紙２６に印字記録し、保持させる。
【００２１】
また、明細記録保持部７のマーク検出センサ３２によりジャーナル用紙２６のエンドマーク２６ａが検出されると、新しいジャーナル用紙２６に交換されるまでの間、上述したように制御部８は補助フロッピーディスクドライブ３３にアクセスしてＦＤにジャーナル用紙２６に印字記録される明細データを上書で記録させ、明細記録保持部７に新しいジャーナル用紙２６がセットされると、内部操作部６の操作に基づいてＦＤに記録されている明細データを新しいジャーナル用紙２６に印字記録し、保持させる。
【００２２】
このように、明細記録保持部７のマーク検出センサ３２によりジャーナル用紙２６のエンドマーク２６ａが検出されてから新しいジャーナル用紙２６に交換されるまでの間、制御部８はジャーナル用紙２６に印字記録される明細データをＦＤに記録させ、明細記録保持部７に新しいジャーナル用紙２６がセットされると、ＦＤに記録されている明細データを新しいジャーナル用紙２６に印字記録し、保持させるようしたので、ジャーナル用紙２６の印字エリアが無くなっても自動取引装置１の取り扱いを中止させることがなく取り引きを継続および延長することができ、ジャーナル用紙２６を最後まで有効的に利用することができる。また、ＦＤに上書記録させるため、取り引きが多い場合でも相当量記録でき、１枚のＦＤで交換することなく記録保持の処理を行うことができるので、ジャーナル用紙２６を頻繁に交換したりする手間も無くなって自動取引装置１の取り扱いを便利にすることができる。
【００２３】
【発明の効果】
以上のように本発明に係る自動取引装置は、磁気カードの情報および利用者の操作に基づいて現金の出し入れを含む取引処理を行わせる制御手段と、磁気カードの読み取りおよび書き込みを行い、行われた取引処理の取引内容および取引結果の明細情報を印字媒体に印字し単票状態にして発行するカード明細票処理手段と、取引明細を印字媒体に印字記録し保持するとともに、印字媒体の印字エリアの終了を検知する検知手段を有する取引明細保持手段とを備えた自動取引装置において、制御手段は、取引明細保持手段の検知手段により取引明細が印字記録される取引明細保持手段の印字媒体における印字エリアの終了が検知されてから新しい印字媒体に交換されるまでの間、明細情報および取引明細をカード明細票処理手段の印字媒体に印字記録させ、単票状態の明細票を発行させると共に単票状態の記録保持用明細票をカード明細票処理手段に設けられ、カード挿入明細票排出口から取り込まれた明細票を集積する集積部に収容し保持させるようにしたので、取引明細保持手段の印字媒体の印字エリアが無くなっても装置の取り扱いを中止させることなく取り引きを継続および延長することができるとともに、取引明細保持手段の印字媒体を最後まで使い切り有効的に利用することができる。また、取り引きが多い場合でも取引明細保持手段の印字媒体を頻繁に交換するなどの手間も無くなり、装置の取り扱いを容易にすることができる。
【００２４】
また、本発明に係る自動取引装置の制御手段は、記録保持用印字媒体に取引明細とともに記録保持用であることを示す情報を印字記録させるようにしたので、集積部に収容されている他の単票状態の印字媒体との区別を容易にすることができ、記録保持用印字媒体の回収を簡単に行うことができる。
【図面の簡単な説明】
【図１】本発明の実施の形態１の模式図である。
【図２】図１の内部構成を示すブロック図である。
【図３】本発明の実施の形態１に係るカード明細票処理部の構成を示す側面図である。
【図４】本発明の実施の形態１に係る明細記録保持部の構成を示す側面図である。
【図５】本発明の実施の形態１に係るジャーナル用紙の要部の斜視図である。
【図６】本発明の実施の形態２の内部構成を示すブロック図である。
【符号の説明】
１  自動取引装置
２  カード明細票処理部
５  顧客操作部
７  明細記録保持部
８  制御部
９  磁気カード
１８，１９  連続紙
２０，３０  印字ヘッド
２２  カッタ
２５  集積部
２６  ジャーナル用紙
２６ａ  エンドマーク
３２  マーク検出センサ
３３  補助フロッピーディスクドライブ
【図１】
0003610470.tif 000002
【図２】
0003610470.tif 000003
【図３】
0003610470.tif 000004
【図４】
0003610470.tif 000005
【図５】
0003610470.tif 000006
【図６】
0003610470.tif 000007